(57)【要約】【課題】オペレータに光源の光を眩しく感じさせることなく原稿のサイズを判別することができる。【解決手段】画像読取装置１００は、ＬＥＤアレイ１０１，１０２が主走査方向に直線状に配置されて、原稿の同一箇所を副走査方向の両側から上方方向に照射可能に向き合っている。ＣＰＵは、原稿載置板１０８上の原稿のサイズを判別するとき、オペレータＭの位置を人感検知センサによって検知する。ＣＰＵは、例えば、オペレータがＬＥＤアレイに対し上流側(図２の左側)に立っていると判断した場合、ＬＥＤアレイ１０１を通常点灯すると共にＬＥＤアレイ１０２を半減点灯する。これにより、ＬＥＤアレイ１０１側にいるオペレータは、ＬＥＤアレイ１０２の光を眩しく感じることが少なくなる。【選択図】図２
2014093543.tif 000002
【特許請求の範囲】
【請求項１】
原稿が載置される原稿載置面が上面に形成されて光が透過可能な原稿載置台と、
前記原稿載置面を開閉する開閉蓋と、
前記原稿載置台の下方に主走査方向に直線状に配置されて、前記原稿載置面の同一箇所に対して副走査方向の両側から上方方向に照射可能に向き合った、前記副走査方向に往復移動可能な１対の光源と、
前記原稿載置面が閉められている途中において前記１対の光源が前記副走査方向の所定の位置に停止し、原稿を照射した反射光を受光して原稿の主走査方向のサイズを検知し、前記原稿載置面が閉められた状態において前記１対の光源が前記副走査方向に移動しながら原稿を照射した反射光を受光して原稿の画像を読み取る画像読取手段と、
前記１対の光源に対してオペレータの立つ位置を検知するオペレータ位置検知手段と、
前記原稿の主走査方向のサイズを検知するとき、前記オペレータ位置検知手段のオペレータ位置情報に基づいて、前記１対の光源の内、オペレータから離れた側の前記光源の光量を、オペレータに近い側の前記光源の光量よりも少なくする光量調節手段と、を備えた、
ことを特徴とする画像読取装置。
【請求項２】
前記１対の光源の前記副走査方向の外側に反射部材を備えている、
ことを特徴とする請求項１に記載の画像読取装置。
【請求項３】
前記１対の光源は、複数の白色のＬＥＤで構成されている、
ことを特徴とする請求項１又は２に記載の画像読取装置。
【請求項４】
前記１対の光源は、軸状の光源である、
ことを特徴とする請求項１又は２に記載の画像読取装置。
【請求項５】
原稿の画像を読み取る画像読取装置と、
前記画像読取装置によって読み取られた原稿の画像をシートに形成する画像形成部と、を備え、
前記画像読取装置が、請求項１乃至４のいずれか１項に記載の画像読取装置である、
ことを特徴とする画像形成装置。
【発明の詳細な説明】
【技術分野】
【０００１】
本発明は、原稿の画像を読み取る画像読取装置と、この画像読取装置を装置本体に備えた画像形成装置とに関する。
【背景技術】
【０００２】
従来、シートに画像を形成する画像形成装置は、画像形成装置の装置本体に設けた画像読取装置からの原稿の画像情報に基づいて、シートに原稿を複写するようになっている。この場合、画像形成装置は、原稿載置台に載置された原稿のサイズを画像読取装置で検知し、そのサイズ情報を画像形成装置の装置本体に送り、装置本体でサイズ情報に応じたサイズのシートを選択してシートに画像を複写するようになっている。
【０００３】
そして、画像読取装置は、原稿載置面が開閉蓋で閉められる途中において、原稿の主走査方向のサイズを、原稿載置台の下方に配置された１対の光源で、原稿を照射し、その反射光を、画像読取手段が受光して検知するようになっている。また、原稿の副走査方向のサイズは、原稿載置台の下方に設けられたセンサによって検知するようになっている。この、主走査方向のサイズと副走査方向のサイズとによって、原稿の大きさを検知できるようになっている。なお、画像読取手段は、原稿載置面が開閉蓋で閉められた状態で、副走査方向に移動する１対の光源の反射光に基づいて原稿を読み取るようになっている（特許文献１）。
【先行技術文献】
【特許文献】
【０００４】
【特許文献１】特開２００７−２８８７１６号公報
【発明の概要】
【発明が解決しようとする課題】
【０００５】
以上のように、従来の画像読取装置は、原稿載置面が開閉蓋で閉められる途中において、１対の光源で、原稿を照射し、その反射光を、画像読取手段が受光して検知するようになっている。また、１対の光源は、主走査方向に直線状に、原稿の同一箇所を副走査方向の両側から照射するように向き合って配置されて、光軸が原稿載置面に対して斜めになっている。
【０００６】
このため、開閉蓋を開閉するため画像形成装置の傍に立っているオペレータの立つ位置によっては、一方の光源の光が、原稿載置面が開閉蓋で閉められる途中の原稿載置面と開閉蓋との間からオペレータの目に到達して、オペレータが眩しく感じるときがある。
【０００７】
本発明は、オペレータに光源の光を眩しく感じさせることなく原稿のサイズを判別する画像読取装置及び画像読取装置を提供することにある。
【課題を解決するための手段】
【０００８】
本発明の画像読取装置は、原稿が載置される原稿載置面が上面に形成されて光が透過可能な原稿載置台と、前記原稿載置面を開閉する開閉蓋と、前記原稿載置台の下方に主走査方向に直線状に配置されて、前記原稿載置面の同一箇所に対して副走査方向の両側から上方方向に照射可能に向き合った、前記副走査方向に往復移動可能な１対の光源と、前記原稿載置面が閉められている途中において前記１対の光源が前記副走査方向の所定の位置に停止し、原稿を照射した反射光を受光して原稿の主走査方向のサイズを検知し、前記原稿載置面が閉められた状態において前記１対の光源が前記副走査方向に移動しながら原稿を照射した反射光を受光して原稿の画像を読み取る画像読取手段と、前記１対の光源に対してオペレータの立つ位置を検知するオペレータ位置検知手段と、前記原稿の主走査方向のサイズを検知するとき、前記オペレータ位置検知手段のオペレータ位置情報に基づいて、前記１対の光源の内、オペレータから離れた側の前記光源の光量を、オペレータに近い側の前記光源の光量よりも少なくする光量調節手段と、を備えた、ことを特徴としている。
【発明の効果】
【０００９】
本発明の画像読取装置は、１対の光源の内、オペレータから離れた側の光源の光量を、オペレータに近い側の光源の光量よりも少なくして、離れた側の光源の斜めの光を眩しく感じることを緩和することができる。
【図面の簡単な説明】
【００１０】
【図１】本発明の実施形態の画像形成装置のシート搬送方向に沿った断面図である。
【図２】画像読取装置の副走査方向に沿った断面図である。
【図３】画像読取装置の制御回路ブロック図である。
【図４】図３におけるＬＥＤアレイの原稿サイズ検知の点灯動作を説明するためのフローチャートである。
【図５】画像形成装置に人感検知センサが設けられている図である。
【発明を実施するための形態】
【００１１】
以下、本発明の実施態様の画像読取装置と、この画像読取装置を装置本体に備えた画像形成装置とを、図に基づいて説明をする。図１は、本発明の実施形態の画像形成装置のシート搬送方向に沿った断面図である。
【００１２】
（画像形成装置）
画像形成装置３０は、画像形成装置の装置本体３０Ａと、装置本体３０Ａの上部に設けられた画像読取装置１００とで構成されている。画像読取装置１００は、自動原稿供給装置２００と、自動原稿供給装置２００を上部に設けた画像読取部３００とで構成されている。画像形成装置３０の装置本体３０Ａには、画像形成装置全体を制御する制御部１５０が設けられている。
【００１３】
画像読取装置１００の自動原稿供給装置（ＡＤＦ）２００は、原稿載置トレイ１５に載置された原稿Ｄを１枚ずつ画像読取部３００に自動的に供給して、原稿排出トレイ１６に排出するようになっている。画像読取部３００は、自動原稿供給装置２００から供給された原稿を読み取り、或いは原稿載置板１０８にオペレータによって載置された原稿を読み取り、画像情報を装置本体３０Ａに送るようになっている。画像読取装置１００の詳細な説明は後述する。画像形成装置３０は、給紙部１からシートを画像形成部２に送り、画像読取装置１００が読み取った画像情報を画像形成部２でシートに画像を形成した後、排出ローラ対３から排出するようになっている。
【００１４】
給紙部１は、複数サイズのシートを給紙カセット１ａ，１ｂに収納してあり、指定されたシートを１枚ずつ分離して画像形成部２に給送する。画像形成部２は、感光体ドラム４と、感光体ドラム４の近くに配置されたレーザ発光器５、現像器６、及び転写チャージャ７等で構成されている。
【００１５】
画像形成装置３０には、コントロールパネル１８から画像形成条件、例えばシートサイズ指定、カラー・モノクロ印刷指定、プリント部数指定、片面・両面印刷指定、拡大・縮小印刷指定などの印刷条件がオペレータによって入力される。画像形成装置３０は、画像読取装置１００からの画像情報、或いは外部のネットワークから転送された画像情報が、データ貯蔵部１７に蓄積される。
【００１６】
蓄積された画像情報は、データ貯蔵部１７からバッファメモリ１９に転送される。そして、画像情報は、バッファメモリ１９から、レーザ発光器５にデータ信号として順次送られる。レーザ発光器５は、感光体ドラム４を照射して感光体ドラム４に静電潜像を形成する。静電潜像は、現像器６によって、トナー現像されてトナー画像となる。
【００１７】
そして、転写チャージャ７が、転写チャージャ７と感光体ドラム４との間に搬送されたシートにトナー画像を転写する。その後、定着器８が、シートを加熱加圧して、トナー画像をシートに定着する。最後に排出ローラ対３が昇降自在な排出トレイ２０にシートを排出する。
【００１８】
以上の説明は、シートの片面にトナー画像を形成する場合についてであったが、シートの両面にトナー画像を形成する場合、定着器８を出たシートを切替部材２１がスイッチバック経路１０に案内する。スイッチバック経路１０は、シートをスイッチバック案内しながら表裏反転して裏返しにし、循環経路９に案内する。循環経路９は、裏返しになったシートを感光体ドラム４に案内する。その後、転写チャージャ７がシートの裏面に感光体ドラム４のトナー画像を転写して、定着器８がトナー画像を定着する。このようにして両面にトナー画像を形成されたシートは、排出ローラ対３から、排出トレイ２０に排出される。
【００１９】
（画像読取装置）
図２は、画像読取装置１００の副走査方向に沿った断面図である。図１、図２において、画像読取装置１００は、自動原稿供給装置２００と、自動原稿供給装置２００を上部に設けた画像読取部３００とで構成されている。画像読取部３００は、装置本体１００Ａ、原稿載置板１０８、キャリッジ１１４、ミラー１０５，１０６，１０７、レンズ１０９、イメージセンサとしてのＣＣＤ１１０及びシート長さ検知センサ３０７ａ、３０７ｂ等を備えている。
【００２０】
画像読取装置１００は、自動原稿供給装置２００によって原稿載置板１０８の原稿載置面１０８ａに供給される原稿を読み取る（流し読みする）ようになっている。また、画像読取装置１００は、オペレータによって原稿載置面１０８ａに載置されて、原稿載置面１０８ａから浮き上がらないように、自動原稿供給装置２００によって原稿載置面１０８ａに押し付けられた原稿を読み取る（固定読みする）ようになっている。
【００２１】
装置本体１００Ａの上部には、自動原稿供給装置２００及び原稿載置板１０８が備えられている。原稿載置台としての原稿載置板１０８は、オペレータによって原稿が載置される原稿載置面１０８ａが上面に形成されて光が透過可能な板状の部材であり、例えば、ガラス板、プラスチック製板である。原稿載置面１０８ａは、装置本体１００Ａに開閉自在に備えられた開閉蓋としての自動原稿供給装置２００によって開閉されるようになっている。自動原稿供給装置２００は、図１において、図面の裏側の方を基点にして、図面の表面側で、原稿載置面１０８ａを開閉するようになっている。なお、画像読取装置１００は、自動原稿供給装置２００の代わりに、板状の部材である圧板を設けて、固定読みだけできるようになっていてもよい。
【００２２】
キャリッジ１１４は、キャリッジ枠１１４Ａ内に、１対の光源としてのＬＥＤアレイ１０１，１０２、反射笠１０３，１０４及びミラー１０５を備えて、原稿載置板１０８の下方を、副走査方向(図２、矢印Ｂ方向)に往復移動可能になっている。１対の白色のＬＥＤアレイ１０１，１０２は、原稿載置板１０８の下面に沿って、副走査方向に対して直交する主走査方向に直線状に配置されて、原稿の同一箇所を、副走査方向の両側から上方方向に照射可能に向き合っている。
【００２３】
このため、一方のＬＥＤアレイ１０１の光軸１０１ａは、原稿載置板１０８の原稿載置面１０８ａに対して垂直な方向に対して他方のＬＥＤアレイ１０２側に所定角度傾斜している。同様に、他方のＬＥＤアレイ１０２の光軸１０２ａも、原稿載置板１０８の原稿載置面１０８ａに対して垂直な方向に対して一方のＬＥＤアレイ１０１側に所定角度傾斜している。そして、ＬＥＤアレイ１０１の光軸１０１ａとＬＥＤアレイ１０２の光軸１０２ａとが、原稿載置板１０８の原稿載置面１０８ａ近傍で互いに交差している。この交差する位置に原稿がある。
【００２４】
ミラー１０５，１０６，１０７は、ＬＥＤアレイ１０１，１０２が原稿を照射した反射光を、反射して、ＣＣＤ１１０上に原稿画像を結像させるレンズ１０９に導くようになっている。
【００２５】
反射部材としての長尺の一方の反射笠１０３は、一方のＬＥＤアレイ１０１に近接し、且つＬＥＤアレイ１０１に対して他方のＬＥＤアレイ１０２の反対側に配置されている。同様に、反射部材としての長尺の他方の反射笠１０４も、他方のＬＥＤアレイ１０２に近接し、且つ他方のＬＥＤアレイ１０２に対して一方のＬＥＤアレイ１０１の反対側に配置されている。すなわち、反射笠１０３，１０４は、ＬＥＤアレイ１０１，１０２の副走査方向の外側に配置されている。また、一方の反射笠１０３は、一方のＬＥＤアレイ１０１からの光をＬＥＤアレイ１０１の光軸１０１ａに集光させるように反射面１０３ａが凹んで湾曲している。同様に、他方の反射笠１０４も、他方のＬＥＤアレイ１０２からの光を他方のＬＥＤアレイ１０２の光軸１０２ａに集光させるように反射面１０４ａが凹んで湾曲している。
【００２６】
上記のように構成された画像読取装置１００において、ＬＥＤアレイ１０１，１０２からの光は、反射笠１０３，１０４によって光軸１０１ａ，１０２ａ方向に集光されて、原稿載置板１０８の原稿載置面１０８ａに載置された原稿を照射する。原稿を照射した光の反射光は、第１ミラー１０５、第２ミラー１０６、及び第３ミラー１０７に導かれて、レンズ１０９を介してＣＣＤ素子１１０上に結像し、電気信号に変換（光電変換）される。
【００２７】
図３は、画像読取装置１００の制御回路ブロック図である。
【００２８】
画像読取装置１００のＣＰＵ３０２には、点灯回路３０１、長さサイズ検知センサ３０７ａ，３０７ｂ、人感検知センサ３１０ａ，３１０ｂ，３１０ｃ及びフォトインタラプタ３０８が接続されている。また、ＣＰＵ３０２には、ＲＡＭ３０３と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）３０４もバスによって接続されている。
【００２９】
ＬＥＤアレイ１０１，１０２は、夫々点灯回路３０１に接続されており、点灯回路３０１からの出力信号に基づいて点灯／減衰／消灯される。点灯には、通常点灯状態と、通常点灯よりも光量が少ない減衰点灯状態（例えば、半減点灯状態）とがある。ＬＥＤアレイ１０１，１０２は、通常点灯状態および半減点灯状態は点灯回路３０１からの出力信号に基づいて通常点灯／半減点灯される。
【００３０】
画像読取装置１００がスタンバイ状態（待機状態）のとき、キャリッジ１１４は、図２に示す位置より僅かに左に移動した待機位置ＨＰに待機している。オペレータは、画像読取装置１００で原稿の固定読みをする場合、自動原稿供給装置２００を回動することで原稿載置板１０８の原稿載置面１０８ａを開く。すると、装置本体１００Ａに設けられたフォトインタラプタ３０８が、原稿載置面１０８ａが開かれたことを検知する。ＣＰＵ３０２は、フォトインタラプタ３０８からの、原稿載置面１０８ａが開かれたことの検知信号に基づいて、不図示のキャリッジモータを駆動して、キャリッジ１１４を待機位置ＨＰから僅かに右に移動させて図２に示すシートサイズ検知位置ＲＰに停止させる。
【００３１】
その後、オペレータは、開かれた原稿載置面１０８ａに原稿を載置して、自動原稿供給装置２００を回動することで原稿載置面１０８ａを閉める。自動原稿供給装置２００が、原稿載置面１０８ａを完全に閉める途中、原稿載置面１０８ａに対して所定の角度まで閉めると、フォトインタラプタ３０８が、自動原稿供給装置２００が所定の角度まで閉められたことを検知する。フォトインタラプタ３０８は、自動原稿供給装置２００が所定の角度まで閉められたことをＣＰＵ３０２に報せる。
【００３２】
ＣＰＵ３０２は、ＡＳＩＣ３０４に作動信号を送る。すると、ＡＳＩＣ３０４は、ＣＣＤ１１０とＡ／Ｄ変換器３０５に駆動信号を送り、ＣＣＤ１１０とＡ／Ｄ変換器３０５を作動状態にする。
【００３３】
また、ＣＰＵ３０２は、点灯回路３０１にＯＮ信号を送り、ＬＥＤアレイ１０１，１０２を点灯する。すると、ＬＥＤアレイ１０１，１０２が原稿を照射する。この場合、原稿を照射したことによる反射光は、キャリッジ１１４が図２に示す、副走査方向の所定の位置としてのシートサイズ検知位置ＲＰに停止したままであるので、主走査方向に沿った帯状の反射光である。しかも、原稿載置面１０８ａが、自動原稿供給装置２００によって、まだ完全に閉められていないので、ＬＥＤアレイ１０１，１０２の光は、原稿を照射した部分しか反射されない。このため、原稿からの反射光は、シートの主走査方向の長さをした帯状の光である。この帯状の光が、シートの主走査方向の幅サイズデータである。
【００３４】
反射光は、ミラー１０５，１０６，１０７を介してレンズ１０９によって集光されてＣＣＤ１１０にシートの幅サイズデータとして到達する。ＣＣＤ１１０は、レンズ１０９によって集光された光を光電変換して、アナログの幅サイズデータをＡ／Ｄ変換器３０５に送る。Ａ／Ｄ変換器３０５は、アナログ信号の幅サイズデータをデジタル信号に変換し、ＡＳＩＣ３０４を介してＣＰＵ３０２に送る。ＣＰＵ３０２は、ＣＣＤ１１０からの幅サイズデータによって、原稿載置板１０８に載置されている原稿の幅サイズを検知することができる。また、ＣＰＵ３０２は、原稿載置板１０８に載置されている副走査方向の原稿の長さを、長さサイズ検知センサ３０７ａ，３０７ｂによって検知する。
【００３５】
これによって、ＣＰＵ３０２は、原稿載置板１０８に載置されている原稿の幅サイズと長さサイズとを検知して、原稿の大きさを検知することができる。
【００３６】
ところで、以上の説明において、原稿の大きさを検知するときにＬＥＤアレイ１０１，１０２で原稿を照射する場合、原稿載置板１０８の原稿載置面１０８ａは、自動原稿供給装置２００によって、完全に閉められていない。ＬＥＤアレイ１０１，１０２を点灯したときに原稿載置面上の原稿が載置されていない領域のＬＥＤアレイ１０１，１０２の光は原稿載置面１０８ａと自動原稿供給装置２００との間から漏れて、オペレータが眩しく感じることがある。これは原稿載置面上に載置される原稿のサイズが小さい程、顕著となる。そこで、本実施形態の画像読取装置１００は、眩しさを和らげる対策を講じてある。以下、そのことについて説明する。
【００３７】
オペレータが原稿載置板１０８に原稿を載置して、自動原稿供給装置２００が所定の角度まで閉められたことをフォトインタラプタ３０８が検知すると、ＣＰＵは、「原稿サイズ検知のための半減点灯モード」を設定して、減衰信号を点灯回路３０１に送る。
【００３８】
一方、装置本体３０Ａ(図５)の前面に設けられた、画像形成装置３０に対してオペレータの立つ位置を検知するオペレータ位置検知手段としての３つの人感検知センサ３１０ａ，３１０ｂ，３１０ｃが、オペレータの立っている位置を検知する。
【００３９】
例えば、図５の左側の人感検知センサ３１０ｃがオペレータを検知している場合がある。この場合、ＣＰＵ３０２は、「原稿サイズ検知のための半減点灯モード」を設定してあるので、点灯回路３０１に、光源選択モード設定信号により、ＬＥＤ１０２を選択する信号と、ＯＮ／減衰信号とを送る。点灯回路３０１は、ＯＮ／減衰信号及び光源選択モード設定信号に基づいて、ＬＥＤアレイ１０１，１０２へ電力を供給するが、ＬＥＤアレイ１０２の供給電力を、ＬＥＤアレイ１０１の供給電力よりも少なく供給する。このため、図２において、右側のＬＥＤアレイ１０２の光量が、左側のＬＥＤアレイ１０１の光量より少なくなり、ＬＥＤアレイ１０１，１０２に対して左側に立っているオペレータＭは、右側のＬＥＤアレイ１０２の光の眩しさを和らげられる。
【００４０】
同様にして、図５の真ん中の人感検知センサ３１０ｂと右端の人感検知センサ３１０ａの少なくとも一方がオペレータを検知している場合がある。この場合も、ＣＰＵ３０２は、「原稿サイズ検知のための半減点灯モード」を設定してあるので、点灯回路３０１に、光源選択モード設定信号により、ＬＥＤ１０１を選択する信号と、ＯＮ／減衰信号とを送る。点灯回路３０１は、ＯＮ／減衰信号及び光源選択モード設定信号に基づいて、ＬＥＤアレイ１０１，１０２へ電力を供給するが、ＬＥＤアレイ１０１の供給電力を、ＬＥＤアレイ１０２の供給電力よりも少なく供給する。このため、図２において、左側のＬＥＤアレイ１０１の光量が、右側のＬＥＤアレイ１０２の光量より少なくなり、ＬＥＤアレイ１０１，１０２に対して右側に立っているオペレータＭは、左側のＬＥＤアレイ１０１の光の眩しさを和らげられる。
【００４１】
自動原稿供給装置が、原稿載置面１０８ａに対して所定の角度、閉めたことがフォトインタラプタ３０８に検知されてから、原稿載置面を完全に閉めるまでの間に、ＣＰＵ３０２は、キャリッジ１１４をシートサイズ検知位置ＲＰから待機位置ＨＰに移動させる。キャリッジ１１４は、不図示のキャリッジモータによって左に僅かな距離移動して待機位置ＨＰに停止する。また、ＣＰＵ３０２は、ＬＥＤアレイ１０１，１０２を消灯する。
【００４２】
自動原稿供給装置２００によって原稿載置面１０８ａが完全に閉められると、コントロールパネル１８の不図示のスタート釦が、オペレータによって押される。すると、ＣＰＵ３０２は、画像読取装置を「通常モード」に設定して、点灯回路３０１にＯＮ信号を送る。この場合、原稿載置面１０８ａが完全に閉められているので、ＬＥＤアレイ１０１，１０２の光がオペレータに届くことがなく、ＣＰＵ３０２は、人感検知センサ３１０ａ，３１０ｂ，３１０ｃの検知動作に関係無く、点灯回路３０１にＯＮ信号を送る。点灯回路３０１は、「通常モード」に設定されているので、１対のＬＥＤアレイ１０１，１０２の光量を、減衰することなく点灯する。
【００４３】
そして、ＣＰＵ３０２は、不図示のキャリッジモータを作動させて、ＬＥＤアレイ１０１，１０２が点灯した状態のキャリッジ１１４を、図２において、副走査方向に原稿の長さだけ移動させてから、元の待機位置ＨＰに戻す。
【００４４】
この間、ＣＰＵ３０２は、ＡＳＩＣ３０４に作動信号を送り、ＡＳＩＣ３０４によって、ＣＣＤ１１０とＡ／Ｄ変換器３０５とを作動状態にする。ＬＥＤアレイ１０１，１０２が原稿を照射した反射光は、ミラー１０５，１０６，１０７を介してレンズ１０９によって集光されてＣＣＤ１１０にシートの画像データとして到達する。ＣＣＤ１１０は、レンズ１０９によって集光された光を光電変換して、アナログの画像データをＡ／Ｄ変換器３０５に送る。Ａ／Ｄ変換器３０５は、アナログ信号の画像データをデジタル信号に変換し、ＡＳＩＣ３０４に送る。ＡＳＩＣ３０４は、Ａ／Ｄ変換器３０５から出力された画像データに対してシェーディング補正等の画像処理を実行し、画像処理された画像データを画像形成装置の装置本体３０Ａ内のデータ貯蔵部１７に送信する。
【００４５】
なお、ＣＣＤ１１０とＣＰＵ３０２は、１対のＬＥＤアレイが原稿を照射した反射光を、原稿載置面が閉められている途中において受光して原稿の主走査方向のサイズを検知し、原稿載置面が閉められて受光して原稿の画像を読み取る画像読取手段を構成している。
【００４６】
また、点灯回路３０１とＣＰＵ３０２は、人感検知センサのオペレータ位置情報に基づいて、１対のＬＥＤアレイの内、オペレータから離れた側のＬＥＤの光量を、オペレータに近い側のＬＥＤの光量よりも少なくする光量調節手段を構成している。
【００４７】
図４は、図３におけるＬＥＤアレイ１０１，１０２の原稿サイズ検知の点灯動作を説明するためのフローチャートである。
【００４８】
図４において、ＣＰＵ３０２から原稿サイズ検知開始信号が点灯回路３０１、ＡＳＩＣ３０４に入力される（Ｓ１００）。その後、ＣＰＵ３０２は、点灯モード選択となるモード設定信号が点灯回路３０１、ＡＳＩＣ３０４に入力され（Ｓ１０１）、不図示のキャリッジモータによってキャリッジ１１４を、図２に示す、所定のシートサイズ検知位置ＲＰに移動させる（Ｓ１０２）。
【００４９】
ＣＰＵは、人感検知センサ３１０ａ，３１０ｂの少なくとも一方によって、オペレータがキャリッジ１１４の下流側（図２の右側）にいることが検知された場合（Ｓ１０３でＹＥＳ）がある。この場合、ＣＰＵ３０２は、ＬＥＤアレイ１０１を半減点灯し、ＬＥＤアレイ１０２を通常点灯させる（Ｓ１０４）。そして、ＣＰＵ３０２は、原稿サイズ検知を行い（Ｓ１０６）、原稿サイズ検知動作を終了する。
【００５０】
また、Ｓ１０３において、人感検知センサ３１０ｃによって、オペレータがキャリッジ１１４の上流側（図２の左側）にいることが検知された場合（Ｓ１０３でＮＯ）、ＬＥＤアレイ１０２を半減点灯し、ＬＥＤアレイ１０１を通常点灯させる（Ｓ１０５）。そして、ＣＰＵ３０２が原稿サイズ検知を行い（Ｓ１０６）、原稿サイズ検知動作を終了する。
【００５１】
以上の画像読取装置は、ＬＥＤアレイ１０１，１０２がキャリッジ１１４内に主走査方向に沿って互いに平行に配設され、２つのＬＥＤアレイの光軸が原稿載置板１０８の載置面に垂直な方向に対して相手方のＬＥＤアレイ側に傾斜している。すなわち、ＬＥＤアレイ１０１，１０２は、原稿載置板１０８の下方に主走査方向に直線状に配置されて、原稿Ｄの同一箇所を副走査方向の両側から上方方向に照射可能に向き合っており、キャリッジ１１４によって、副走査方向に往復移動可能になっている。そして、原稿載置板１０８上の原稿のサイズを判別するときに、オペレータＭの位置を人感検知センサ３１０ａ，３１０ｂ，３１０ｃが検知し、その検知結果に基づいて、ＣＰＵ３０２がキャリッジ１１４に対するオペレータの位置を判断する。そして、図２において、ＣＰＵは、例えば、オペレータＭがキャリッジ１１４に対して上流側にいると判断した場合、ＬＥＤアレイ１０１，１０２のうち上流側のＬＥＤアレイ１０１を通常点灯すると共に下流側のＬＥＤアレイ１０２を半減点灯する。このように、ＬＥＤアレイ１０１，１０２のうちオペレータＭに向かう方向の光軸を有する下流のＬＥＤアレイ１０２を半減点灯することにより、オペレータＭに光源の光を眩しく感じさせることなく原稿のサイズを判別することができる。
【００５２】
なお、原稿を照射する光源としてＬＥＤを使用しているが、キセノンランプ、ハロゲンランプ、軸状の蛍光灯等、その他の光源を使用してもよい。また、画像読取手段としてＣＣＤを用いているが、ＣＩＳを使用してもよい。
【符号の説明】
【００５３】
２：画像形成部、３０：画像形成装置、３０ａ：装置本体、１００：画像読取装置、１００Ａ：装置本体、１０１，１０２：ＬＥＤアレイ（１対の光源）、１０１ａ，１０２ａ：光軸、１０３，１０４：反射笠（反射部材）、１０５，１０６，１０７：ミラー、１０８：原稿載置板（原稿載置台）、１０８ａ：原稿載置面、１１０：ＣＣＤ（画像読取手段）、１１４：キャリッジ、２００：自動原稿供給装置（開閉蓋）、３００：画像読取部、３０１：点灯回路（光量調節手段）、３０２：ＣＰＵ（画像読取手段、光量調節手段）、３１０ａ，３１０ｂ，３１０ｃ：人感検知センサ（オペレータ位置検知手段）、Ｄ：原稿，ＨＰ：待機位置、ＲＰ：シートサイズ検知位置、Ｍ：オペレータ。
【図１】
2014093543.tif 000003
【図２】
2014093543.tif 000004
【図３】
2014093543.tif 000005
【図４】
2014093543.tif 000006
【図５】
2014093543.tif 000007